(57)【要約】      （修正有）【課題】標体の支柱への取付が見栄え良くでき、また固定するビス等の固定手段の露出が抑えられた視線誘導標を提供する。【解決手段】標体１と支柱２とを固定する固定手段３が隠蔽壁４により隠されることで、支柱１と標体２との取付部分の外観を簡潔なものとして見栄えを良好なものとできる。また、固定手段３が隠蔽壁４により隠されることで固定手段３の露出が抑えられ、更に固定手段３への歩行者等の引掛かりを未然に防止することができる。【選択図】図１
2005336806.tif 000002
【特許請求の範囲】
【請求項１】
視線誘導部の下部より接続部が垂下された標体の前記接続部が固定手段により支柱に固定されると共に、支柱の外周を周回する隠蔽壁により、前記固定手段が隠蔽されていることを特徴とする視線誘導標。
【請求項２】
前記接続部は、視線誘導部の下部より垂下された円筒状の支柱取付壁面と、該支柱取付壁面の外側に同心状に配置された可撓性を有する材料からなる開閉自在な円筒状の隠蔽壁とを有し、該隠蔽壁と前記支柱取付壁面との間の溝部に支柱の上端部が嵌挿され、支柱取付壁面と支柱の上端部とが固定手段により固定されたことを特徴とする請求項１に記載の視線誘導標。
【請求項３】
前記接続部は、視線誘導部の下部より垂下された円筒状の支柱取付壁面と、可撓性を有する材料からなる開閉自在な隠蔽壁と該隠蔽壁の内側に設けられた内壁とからなる円筒状のスペーサーとからなり、前記スペーサーが支柱取付壁面に外嵌されると共に、隠蔽壁と内壁との間の溝部に支柱の上端部が嵌挿され、内壁を介して支柱取付壁面と支柱の上端部とが固定手段により固定されたことを特徴とする請求項１に記載の視線誘導標。
【発明の詳細な説明】
【技術分野】
【０００１】
本発明は、道路の側縁等に設置され、道路利用者の視線を誘導する視線誘導標に関するものである。
【背景技術】
【０００２】
視線誘導標については種々の発明がなされてきており、例えば特許文献１には、筒状の本体部と、本体部の上部に固定され前面に反射面を有する反射部と、電源部とを備え、反射面には、反射面に対して発光面を傾斜させて取り付けた発光ダイオードが、所定の間隔で複数個配置され、電源部は複数の発光ダイオードに導線を介して連結され、本体部が支柱に押しネジにより固定されている視線誘導標が開示されている。
【０００３】
【特許文献１】特開２００２−１４６７３２号公報
【発明の開示】
【発明が解決しようとする課題】
【０００４】
しかしながら、特許文献１に記載の視線誘導標では、本体部が支柱の上端に被せられて外側より押しネジが固定されているため、当該押しネジが外観に露出し、見栄えが良いとは言えず、また露出した押しネジが雨水等に曝され腐食し易く、更に歩行者等が露出した押しネジに引掛かる恐れもあった。
【０００５】
本発明は上記の如き課題に鑑みてなされたものであり、標体の支柱への取付が見栄え良くでき、また固定するビス等の固定手段の露出が抑えられた視線誘導標を提供せんとするものである。
【課題を解決するための手段】
【０００６】
上記目的を達成するため、本発明は以下のような構成としている。
すなわち、本発明に係わる視線誘導標は、視線誘導部の下部より接続部が垂下された標体の前記接続部が固定手段により支柱に固定されると共に、支柱の外周を周回する隠蔽壁により、前記固定手段が隠蔽されていることを特徴とするものである。
【０００７】
本発明において、前記接続部を、視線誘導部の下部より垂下された円筒状の支柱取付壁面と、該支柱取付壁面の外側に同心状に配置された可撓性を有する材料からなる開閉自在な円筒状の隠蔽壁とを有するものとし、そして該隠蔽壁と前記支柱取付壁面との間の溝部に支柱の上端部が嵌挿し、支柱取付壁面と支柱の上端部とを固定手段により固定するようにしてもよい。
【０００８】
また本発明において、前記接続部を、視線誘導部の下部より垂下された円筒状の支柱取付壁面と、可撓性を有する材料からなる開閉自在な隠蔽壁と該隠蔽壁の内側に設けられた内壁とからなる円筒状のスペーサーとから構成し、前記スペーサーを支柱取付壁面に外嵌させると共に、隠蔽壁と内壁との間の溝部に支柱の上端部を嵌挿し、内壁を介して支柱取付壁面と支柱の上端部とを固定手段により固定するようにしてもよい。
【発明の効果】
【０００９】
本発明に係わる視線誘導標によれば、標体と支柱とを固定する固定手段が隠蔽壁により隠されることで、支柱と標体との取付部分の外観を簡潔なものとして見栄えを良好なものとできる。また、固定手段が隠蔽壁により隠されることで固定手段の露出が抑えられ、固定手段が雨水等に曝されることがなく、固定手段の腐食を抑制でき、更に固定手段への歩行者等の引掛かりを未然に防止することができ好ましい。
【００１０】
また前記接続部を、視線誘導部の下部より垂下された円筒状の支柱取付壁面と、該支柱取付壁面の外側に同心状に配置された可撓性を有する材料からなる開閉自在な円筒状の隠蔽壁とを有するものとし、そして該隠蔽壁と前記支柱取付壁面との間の溝部に支柱の上端部が嵌挿し、支柱取付壁面と支柱の上端部とを固定手段により固定するようにすれば、標体を支柱と固定する時に、隠蔽壁を固定手段による固定後に閉止状態に戻して、標体と支柱の固定部分を隠すことができ、見栄えを良好なものとできると共に、固定手段の取付後に、特に部材や作業を要することなく、固定手段の外側に隠蔽壁を設けて固定手段を隠すことができ好ましい。
【００１１】
また、前記接続部を、視線誘導部の下部より垂下された円筒状の支柱取付壁面と、可撓性を有する材料からなる開閉自在な隠蔽壁と該隠蔽壁の内側に設けられた内壁とからなる円筒状のスペーサーとから構成し、前記スペーサーを支柱取付壁面に外嵌させると共に、隠蔽壁と内壁との間の溝部に支柱の上端部を嵌挿し、内壁を介して支柱取付壁面と支柱の上端部とを固定手段により固定するようにすれば、視線誘導部と接続部を別々に形成することができ、視線誘導部と接続部とを別種の材料を用いて射出成形等の方法で成形する場合、例えば視線誘導部を硬質合成樹脂材料、接続部を可撓性の合成樹脂材料を用いる場合でも、成形が容易なものとできると共に、１種類の視線誘導部に対して、径の異なる複数のスペーサーを用意することで、径の異なる支柱に対応することが可能となり、成形金型や在庫管理、納期対応が容易なものとなり好ましい。
【発明を実施するための最良の形態】
【００１２】
本発明に係わる最良の実施の形態について、図面に基づき以下に具体的に説明する。
図１は本発明に係わる視線誘導標の、実施の一形態を示すもので、イ）が正面図、ロ）はイ）のＡ−Ａ線における一部切り欠き断面図である。プリズム反射体Ｒを備えた視線誘導部１０及び視線誘導部１０の下部より垂下された接続部１１からなる標体１が支柱２に取り付けられ視線誘導標Ｄが形成されている。接続部１１は、下方に向けて突出された支柱２の内側面に略接する円筒形の支柱取付壁面５及びその外側に設けられた隠蔽壁４からなり、支柱取付壁面５が固定手段３により支柱２の上端部と固定されると共に、その外周を周回する隠蔽壁４により固定手段３が隠蔽されている。前記隠蔽壁４は、内周面に環状の凹凸条４１が形成されると共に、支柱取付壁面５の上部外周面には前記凹凸条４１と嵌合する環状の係止条１１１が形成され、凹凸条４１と係止条１１１とにより、支柱取付壁面５の外周に隠蔽壁４が係止されて、固定手段３が隠蔽されている。尚、支柱取付壁面５と隠蔽壁４とに設けられた凹凸条４１と係止条１１１とは、支柱取付壁面５に隠蔽壁４を係止するものであれば、その形状は特に限定されるものではないが、図１の如き形状にすれば、隠蔽壁４の脱落が効果的に防止される。
【００１３】
上記図１の形態では、隠蔽壁４は支柱取付壁面５と別体で構成されているが、図２の如く同体で形成してもよい。
すなわち図２は本発明に係わる視線誘導標の、他の実施形態を示す断面図で、接続部１１は、視線誘導部１０の下部より垂下された円筒状の支柱取付壁面５と、該支柱取付壁面５の外側に同心状に配置された円筒状の隠蔽壁４とから構成され、そして該隠蔽壁４と前記支柱取付壁面５との間の溝部に支柱２の上端部が嵌挿され、支柱取付壁面５と支柱２の上端部とを固定手段３により固定したものである。
【００１４】
この図２の形態においては、隠蔽壁４は支柱取付壁面５と同体で構成しており、隠蔽壁４を可撓性を有する材料から形成し、上部を支点にして外方に開閉自在とし、支柱取付壁面５と支柱２を固定する際、隠蔽壁４を捲り上げることができるようになされている。かかる可撓性を有する材料としては、開閉自在に形成されるものであれば特に限定されるものではなく、例えば天然ゴムやブタジエンスチレンゴム、ネオプレン、ブタジエンアクリロニトリルゴム、クロロプレン重合体、ブチルゴム、エチレンプロピレンゴム、ウレタン樹脂、ポリイソブチレン樹脂、ポリエチレン樹脂、エチレン酢酸ビニル共重合体、シリコン樹脂、軟質塩化ビニール樹脂、スチレン−ブタジエン系やポリオレフィン系、ポリエステル系、ポリ塩化ビニル系、ポリウレタン系、ポリアミド系等のエラストマーなどの各種合成ゴムや合成樹脂等からなる可撓性を持つ材料やそれらを発泡させたもの等が適宜用いられるが、エチレンプロピレンゴムが耐久性に優れ、且つ安価であるので好ましい。
【００１５】
上記した支柱取付壁面５と支柱２との固定方法を図３及び４によりさらに詳細に説明すると、接続部１１の隠蔽壁４と支柱取付壁面５の間の溝部に支柱２の上端部を嵌挿する。次いで、図３で示されるように、支柱２の外側の隠蔽壁４の一部を捲り上げると共に、予め支柱２及び支柱取付壁面５に穿設された取付孔２１及び取付孔５１が合致するよう、ビスからなる固定手段３が螺合されて、支柱取付壁面５と支柱２とを固定する。しかる後、図４で示されるように、捲り上げていた隠蔽壁４への外力を開放し、隠蔽壁４を閉止状態に戻せば、固定作業は完了する。
【００１６】
この場合、隠蔽壁４は可撓性を有する材料なので、前記の捲り上げや閉止状態への復帰は容易に行われる。かようにして、固定手段３が隠蔽壁４で隠蔽され、また、隠蔽壁４と支柱取付壁面５の間の溝部に支柱２の上端部が嵌挿されることで、支柱に対する接続部１１のがたつきが抑えられるため、固定手段３の取付時の作業も容易である。
【００１７】
視線誘導部１０は、本形態ではプリズム反射体Ｒを備えたものであるが、ガラスビーズ等を用いた反射式のものやＬＥＤ等を光源として用いた自発光式のもの、或いはそれらが組み合わさったものを備えたものを適宜用いてよい。
【００１８】
支柱２は標体１を支持できるものであれば特に限定されるものではなく、合成樹脂材料、無機材料等を用いて形成できるが、道路の側縁に設置されることから強度が高く衝撃に強い、鉄、ステンレス、アルミニウム、チタン、亜鉛等の金属材料により形成されたものを好適に用いることができる。また、めっき、塗装を施して、美観、耐食性を備えさせてもよい。
【００１９】
固定手段３は、固定を容易且つ確実に行うことができるねじ込み式のタッピングビスが好適に用いられるが、特に限定されず、リベット、ボルト等、適宜のものを用いることができる。
【００２０】
次に他の形態を図５において説明する。
図５の形態は、図２〜４に示す形態において、隠蔽壁４と支柱取付壁面５の間の溝部の間隔を広げたものであり、その他は図２〜４に示す形態と同じであるので、その説明は省略する。
この形態においては、隠蔽壁４と支柱取付壁面５の間の溝部の間隔を広げているので、隠蔽壁４を捲り上げないか、又若干捲り上げるだけで、支柱取付壁面５と支柱２とを固定手段３で固定することができるため、隠蔽壁４を可撓性の乏しい剛性の材料で形成することができ、隠蔽壁４による固定手段３の隠蔽と保護をも兼ねることができ、又固定手段３が例えばボルトのようにその頭部に厚みがあるものであっても、その頭部を広い間隔の溝部に納めることができるため、隠蔽壁４の外側面が平滑になり外観上見栄えが良くなり好ましい。
【００２１】
次に図６の形態について説明する。
図６の形態は、隠蔽壁４が支柱取付壁面５と別体で構成されているものである。この点においては図１の形態と同様であるが、図１の形態では支柱２の上端部が支柱取付壁面５と隠蔽壁４との間に挟み込まれているが、図６の形態では、隠蔽壁４と該隠蔽壁４の内側に設けられた内壁４Ａとからなる、いわゆる２重の壁を同心状に形成した円筒状のスペーサー６を使用し、このスペーサー６と視線誘導部１０の下部より垂下された円筒状の支柱取付壁面５とで接続部１１を構成した点において相違している。すなわち、接続部１１を、視線誘導部１０の下部より垂下された円筒状の支柱取付壁面５と、隠蔽壁４及び該隠蔽壁４の内側に設けられた内壁４Ａからなる円筒状のスペーサー６とから構成し、前記スペーサー６を支柱取付壁面５に外嵌させると共に、隠蔽壁４と内壁４Ａとの間の溝部に支柱２の上端部を嵌挿し、内壁４Ａを介して支柱取付壁面５と支柱２の上端部とをタッピングビス等の固定手段３により固定している。
【００２２】
この形態においても、図５の形態のように、隠蔽壁４と内壁４Ａとの間の溝部の間隔を広くしてもよいが、本形態では、当該スペーサー６を可撓性を有する材料から形成し、隠蔽壁４を開閉自在に構成すると共に、隠蔽壁４と内壁４Ａとの間の溝部の間隔を支柱２の上端部が遊びなく嵌挿し得る寸法とし、内壁４Ａを介して支柱取付壁面５と支柱２の上端部とを固定手段３により固定する際に、図２の形態のように、隠蔽壁４を捲り上げることができ、又固定作業が終わって捲り上げていた隠蔽壁４への外力を開放すると、隠蔽壁４が閉止状態に戻るようになされている。
【００２３】
この形態においては、接続部１１を、視線誘導部１０と一体に形成された支柱取付壁面５と、これとは別体で形成されたスペーサー６とで構成するので、視線誘導部１０及び支柱取付壁面５をポリカーボネート、ポリエチレン、ポリプロピレン、等の硬質合成樹脂材料を使用し、隠蔽壁４すなわちスペーサーを、図２の形態で例示した可撓性の合成樹脂材料を用いて形成することができ、互いの成形が容易なものとなり好ましい。また、１種類の視線誘導部１０に対して、径の異なる複数のスペーサー６を用意することで、径の異なる支柱に対応することが可能となり、成形金型や在庫管理、納期対応が容易となる。
【００２４】
又、スペーサー６には内壁４Ａが形成され、内壁４Ａを介して支柱取付壁面５と支柱２の上端部とが固定手段３により固定されているので、スペーサー６を上記のように可撓性を有する材料から形成すれば、押圧力に対する内壁４Ａの弾発力により、支柱取付壁面５と支柱２の上端部との固定がガタなく確実に行われる。
この形態については、上記図１〜５の形態との相違点を主に説明したが、特に矛盾するところがない限り、その他の点については上記図１〜５の形態で説明した構成と同じである。
【図面の簡単な説明】
【００２５】
【図１】本発明に係わる視線誘導標の、実施の一形態を示す説明図である。
【図２】本発明に係わる視線誘導標の、他の実施形態を示す断面図である。
【図３】標体を支柱に固定する際の状態を示す断面図である。
【図４】標体を支柱に固定した後の状態を示す断面図である。
【図５】本発明に係わる視線誘導標の、接続部の一例を示す断面図である。
【図６】本発明に係わる視線誘導標の、接続部の他の例を示す断面図である。
【符号の説明】
【００２６】
１    標体
１０  視線誘導部
１１  接続部
２    支柱
３    固定手段
４    隠蔽壁
５    支柱取付壁面
６    スペーサー
Ｄ    視線誘導標
【図１】
2005336806.tif 000003
【図２】
2005336806.tif 000004
【図３】
2005336806.tif 000005
【図４】
2005336806.tif 000006
【図５】
2005336806.tif 000007
【図６】
2005336806.tif 000008